【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
アノードと、カソードと、前記アノードと前記カソードとの間に配置される光電変換部と、を有する有機光電変換素子であって、
前記光電変換部が、第一の有機化合物層を有し、
前記第一の有機化合物層が、少なくともフラーレン骨格を有する第一の化合物と、フルオランテン骨格を有する第二の化合物と、を有し、
前記第二の化合物が、ビニル基を有することを特徴とする、有機光電変換素子。
【請求項２】
前記ビニル基が、下記一般式（２１）乃至（２５）のいずれかに示される置換基であることを特徴とする、請求項１に記載の有機光電変換素子。
【化１】
2017143133.tif 000001
（式（２１）において、＊は、結合手を表す。Ｒ301乃至Ｒ304は、それぞれ水素原子、アルキル基、アラルキル基、アリール基、複素環基、アミノ基、アルコキシ基、アリールオキシ基、ハロゲン原子又はシアノ基を表す。
式（２２）において、＊は、結合手を表す。Ｒ305乃至Ｒ310は、それぞれ水素原子、アルキル基、アラルキル基、アリール基、複素環基、アミノ基、アルコキシ基、アリールオキシ基、ハロゲン原子又はシアノ基を表す。
式（２３）において、＊は、結合手を表す。Ｒ311乃至Ｒ316は、それぞれ水素原子、アルキル基、アラルキル基、アリール基、複素環基、アミノ基、アルコキシ基、アリールオキシ基、ハロゲン原子又はシアノ基を表す。
式（２４）において、＊は、結合手を表す。Ｒ317及びＲ318は、それぞれ水素原子、アルキル基、アラルキル基、アリール基、複素環基、アミノ基、アルコキシ基、アリールオキシ基、ハロゲン原子又はシアノ基を表す。
式（２５）において、＊は、結合手を表す。Ｒ319乃至Ｒ321は、それぞれ水素原子、アルキル基、アラルキル基、アリール基、複素環基、アミノ基、アルコキシ基、アリールオキシ基、ハロゲン原子又はシアノ基を表す。）
【請求項３】
前記第二の化合物が、下記一般式（１）乃至（１７）のいずれかに示される化合物であることを特徴とする、請求項１または２に記載の有機光電変換素子。
【化２】
2017143133.tif 000002
【化３】
2017143133.tif 000003
【化４】
2017143133.tif 000004
（式（１）において、Ｒ1乃至Ｒ10は、それぞれ水素原子、フッ素原子、置換あるいは無置換のアルキル基、置換あるいは無置換のアリール基、置換あるいは無置換の複素環基、下記一般式（Ｉ）に示されるビニル基、置換あるいは無置換のアミノ基又はシアノ基を表す。
−ＣＲa＝ＣＲbＲc                                        （Ｉ）
（式（Ｉ）において、Ｒa、Ｒb及びＲcのうちの少なくとも二個の置換基が結合して環構造を形成してもよい。）
式（２）において、Ｒ11乃至Ｒ22は、それぞれ水素原子、フッ素原子、置換あるいは無置換のアルキル基、置換あるいは無置換のアリール基、置換あるいは無置換の複素環基、下記一般式（Ｉ）に示されるビニル基、置換あるいは無置換のアミノ基又はシアノ基を表す。
−ＣＲa＝ＣＲbＲc                                        （Ｉ）
（式（Ｉ）において、Ｒa、Ｒb及びＲcのうちの少なくとも二個の置換基が結合して環構造を形成してもよい。）
式（３）において、Ｒ23乃至Ｒ35は、それぞれ水素原子、フッ素原子、置換あるいは無置換のアルキル基、置換あるいは無置換のアリール基、置換あるいは無置換の複素環基、下記一般式（Ｉ）に示されるビニル基、置換あるいは無置換のアミノ基又はシアノ基を表す。
−ＣＲa＝ＣＲbＲc                                        （Ｉ）
（式（Ｉ）において、Ｒa、Ｒb及びＲcのうちの少なくとも二個の置換基が結合して環構造を形成してもよい。）
式（４）において、Ｒ36乃至Ｒ53は、それぞれ水素原子、フッ素原子、置換あるいは無置換のアルキル基、置換あるいは無置換のアリール基、置換あるいは無置換の複素環基、下記一般式（Ｉ）に示されるビニル基、置換あるいは無置換のアミノ基又はシアノ基を表す。
−ＣＲa＝ＣＲbＲc                                        （Ｉ）
（式（Ｉ）において、Ｒa、Ｒb及びＲcのうちの少なくとも二個の置換基が結合して環構造を形成してもよい。）
式（５）において、Ｒ54乃至Ｒ69は、それぞれ水素原子、フッ素原子、置換あるいは無置換のアルキル基、置換あるいは無置換のアリール基、置換あるいは無置換の複素環基、下記一般式（Ｉ）に示されるビニル基、置換あるいは無置換のアミノ基又はシアノ基を表す。
−ＣＲa＝ＣＲbＲc                                        （Ｉ）
（式（Ｉ）において、Ｒa、Ｒb及びＲcのうちの少なくとも二個の置換基が結合して環構造を形成してもよい。）
式（６）において、Ｒ70乃至Ｒ83は、それぞれ水素原子、フッ素原子、置換あるいは無置換のアルキル基、置換あるいは無置換のアリール基、置換あるいは無置換の複素環基、下記一般式（Ｉ）に示されるビニル基、置換あるいは無置換のアミノ基又はシアノ基を表す。
−ＣＲa＝ＣＲbＲc                                        （Ｉ）
（式（Ｉ）において、Ｒa、Ｒb及びＲcのうちの少なくとも二個の置換基が結合して環構造を形成してもよい。）
式（７）において、Ｒ84乃至Ｒ95は、それぞれ水素原子、フッ素原子、置換あるいは無置換のアルキル基、置換あるいは無置換のアリール基、置換あるいは無置換の複素環基、下記一般式（Ｉ）に示されるビニル基、置換あるいは無置換のアミノ基又はシアノ基を表す。
−ＣＲa＝ＣＲbＲc                                        （Ｉ）
（式（Ｉ）において、Ｒa、Ｒb及びＲcのうちの少なくとも二個の置換基が結合して環構造を形成してもよい。）
式（８）において、Ｒ96乃至Ｒ107は、それぞれ水素原子、フッ素原子、置換あるいは無置換のアルキル基、置換あるいは無置換のアリール基、置換あるいは無置換の複素環基、下記一般式（Ｉ）に示されるビニル基、置換あるいは無置換のアミノ基又はシアノ基を表す。
−ＣＲa＝ＣＲbＲc                                        （Ｉ）
（式（Ｉ）において、Ｒa、Ｒb及びＲcのうちの少なくとも二個の置換基が結合して環構造を形成してもよい。）
式（９）において、Ｒ108乃至Ｒ121は、それぞれ水素原子、フッ素原子、置換あるいは無置換のアルキル基、置換あるいは無置換のアリール基、置換あるいは無置換の複素環基、下記一般式（Ｉ）に示されるビニル基、置換あるいは無置換のアミノ基又はシアノ基を表す。
−ＣＲa＝ＣＲbＲc                                        （Ｉ）
（式（Ｉ）において、Ｒa、Ｒb及びＲcのうちの少なくとも二個の置換基が結合して環構造を形成してもよい。）
式（１０）において、Ｒ122乃至Ｒ137は、それぞれ水素原子、フッ素原子、置換あるいは無置換のアルキル基、置換あるいは無置換のアリール基、置換あるいは無置換の複素環基、下記一般式（Ｉ）に示されるビニル基、置換あるいは無置換のアミノ基又はシアノ基を表す。
−ＣＲa＝ＣＲbＲc                                        （Ｉ）
（式（Ｉ）において、Ｒa、Ｒb及びＲcのうちの少なくとも二個の置換基が結合して環構造を形成してもよい。）
式（１１）において、Ｒ138乃至Ｒ153は、それぞれ水素原子、フッ素原子、置換あるいは無置換のアルキル基、置換あるいは無置換のアリール基、置換あるいは無置換の複素環基、下記一般式（Ｉ）に示されるビニル基、置換あるいは無置換のアミノ基又はシアノ基を表す。
−ＣＲa＝ＣＲbＲc                                        （Ｉ）
（式（Ｉ）において、Ｒa、Ｒb及びＲcのうちの少なくとも二個の置換基が結合して環構造を形成してもよい。）
式（１２）において、Ｒ154乃至Ｒ167は、それぞれ水素原子、フッ素原子、置換あるいは無置換のアルキル基、置換あるいは無置換のアリール基、置換あるいは無置換の複素環基、下記一般式（Ｉ）に示されるビニル基、置換あるいは無置換のアミノ基又はシアノ基を表す。
−ＣＲa＝ＣＲbＲc                                        （Ｉ）
（式（Ｉ）において、Ｒa、Ｒb及びＲcのうちの少なくとも二個の置換基が結合して環構造を形成してもよい。）
式（１３）において、Ｒ168乃至Ｒ185は、それぞれ水素原子、フッ素原子、置換あるいは無置換のアルキル基、置換あるいは無置換のアリール基、置換あるいは無置換の複素環基、下記一般式（Ｉ）に示されるビニル基、置換あるいは無置換のアミノ基又はシアノ基を表す。
−ＣＲa＝ＣＲbＲc                                        （Ｉ）
（式（Ｉ）において、Ｒa、Ｒb及びＲcのうちの少なくとも二個の置換基が結合して環構造を形成してもよい。）
式（１４）において、Ｒ186乃至Ｒ205は、それぞれ水素原子、フッ素原子、置換あるいは無置換のアルキル基、置換あるいは無置換のアリール基、置換あるいは無置換の複素環基、下記一般式（Ｉ）に示されるビニル基、置換あるいは無置換のアミノ基又はシアノ基を表す。
−ＣＲa＝ＣＲbＲc                                        （Ｉ）
（式（Ｉ）において、Ｒa、Ｒb及びＲcのうちの少なくとも二個の置換基が結合して環構造を形成してもよい。）
式（１５）において、Ｒ206乃至Ｒ221は、それぞれ水素原子、フッ素原子、置換あるいは無置換のアルキル基、置換あるいは無置換のアリール基、置換あるいは無置換の複素環基、下記一般式（Ｉ）に示されるビニル基、置換あるいは無置換のアミノ基又はシアノ基を表す。
−ＣＲa＝ＣＲbＲc                                        （Ｉ）
（式（Ｉ）において、Ｒa、Ｒb及びＲcのうちの少なくとも二個の置換基が結合して環構造を形成してもよい。）
式（１６）において、Ｒ222乃至Ｒ241は、それぞれ水素原子、フッ素原子、置換あるいは無置換のアルキル基、置換あるいは無置換のアリール基、置換あるいは無置換の複素環基、下記一般式（Ｉ）に示されるビニル基、置換あるいは無置換のアミノ基又はシアノ基を表す。
−ＣＲa＝ＣＲbＲc                                        （Ｉ）
（式（Ｉ）において、Ｒa、Ｒb及びＲcのうちの少なくとも二個の置換基が結合して環構造を形成してもよい。）
式（１７）において、Ｒ242乃至Ｒ263は、それぞれ水素原子、フッ素原子、置換あるいは無置換のアルキル基、置換あるいは無置換のアリール基、置換あるいは無置換の複素環基、下記一般式（Ｉ）に示されるビニル基、置換あるいは無置換のアミノ基又はシアノ基を表す。
−ＣＲa＝ＣＲbＲc                                        （Ｉ）
（式（Ｉ）において、Ｒa、Ｒb及びＲcのうちの少なくとも二個の置換基が結合して環構造を形成してもよい。））
【請求項４】
さらに第二の有機化合物層を有し、前記第二の有機化合物層は、前記カソードと前記第一の有機化合物層との間に配置されていることを特徴とする、請求項１乃至３のいずれか一項に記載の有機光電変換素子。
【請求項５】
前記第一の化合物が、フラーレンＣ６０であることを特徴とする、請求項１乃至４のいずれか一項に記載の有機光電変換素子。
【請求項６】
前記光電変換部が、第三の有機化合物層をさらに有し、
前記第三の有機化合物層が、前記第一の有機化合物層と前記アノードとの間に配置され、
前記第三の有機化合物層が、前記第一の有機化合物層と接していることを特徴とする、請求項１乃至５のいずれか一項に記載の有機光電変換素子。
【請求項７】
請求項１乃至６のいずれか一項に記載の有機光電変換素子を複数有し、複数の前記有機光電変換素子が面内方向に二次元に配置されていることを特徴とする、光エリアセンサ。
【請求項８】
受光する光の波長が異なる複数種類の有機光電変換素子を有し、
前記複数種類の有機光電変換素子のうち少なくとも一種類の有機光電変換素子が、請求項１乃至６のいずれか一項に記載の有機光電変換素子であり、
前記複数種類の有機光電変換素子が、積層されていることを特徴とする、有機光電変換装置。
【請求項９】
請求項８に記載の有機光電変換装置を複数有し、
複数の前記有機光電変換装置が、面内方向に二次元に配置されることを特徴とする、光エリアセンサ。
【請求項１０】
複数の有機光電変換素子と、各前記有機光電変換素子のそれぞれに接続されるトランジスタと、を有し、
前記有機光電変換素子が、請求項１乃至６のいずれか一項に記載の有機光電変換素子であり、
前記有機光電変換素子が受光画素であることを特徴とする、撮像素子。
【請求項１１】
前記撮像素子が、前記受光画素に対応した光学フィルタを有することを特徴とする、請求項１０に記載の撮像素子。
【請求項１２】
前記光学フィルタが、赤外線以上の波長を透過するローパスフィルタ又は紫外線以下の波長を透過するロングパスフィルタのいずれかであることを特徴とする、請求項１１に記載の撮像素子。
【請求項１３】
複数の前記受光画素のそれぞれに対応するように光学部材が配置されることを特徴とする、請求項１０乃至１２のいずれか一項に記載の撮像素子。
【請求項１４】
撮像光学系と、前記撮像光学系を通過した光を受光する撮像素子とを有し、前記撮像素子が、請求項１０乃至１３のいずれか一項に記載の撮像素子であることを特徴とする、撮像装置。
【請求項１５】
撮像光学系と接合可能な接合部と、請求項１０乃至１３のいずれか一項に記載の撮像素子と、を有することを特徴とする、撮像装置。
【請求項１６】
前記撮像装置が、デジタルカメラ又はデジタルスチルカメラであることを特徴とする、請求項１４又は１５に記載の撮像装置。
【請求項１７】
外部からの信号を受信する受信部をさらに有し、
前記信号が、前記撮像装置の撮像範囲、撮像の開始及び撮像の終了のいずれかを制御する信号であることを特徴とする、請求項１４乃至１６のいずれか一項に記載の撮像装置。
【請求項１８】
取得した画像を外部に送信する送信部をさらに有することを特徴とする、請求項１４乃至１７のいずれか一項に記載の撮像装置。
【手続補正２】
【補正対象書類名】明細書
【補正対象項目名】０００５
【補正方法】変更
【補正の内容】
【０００５】
本発明の有機光電変換素子は、アノードと、カソードと、前記アノードと前記カソードとの間に配置される光電変換部と、を有する有機光電変換素子であって、
前記光電変換部が、第一の有機化合物層を有し、
前記第一の有機化合物層が、少なくともフラーレン骨格を有する第一の化合物と、フルオランテン骨格を有する第二の化合物と、を有し、
前記第二の化合物が、ビニル基を有することを特徴とする。
【手続補正３】
【補正対象書類名】明細書
【補正対象項目名】００９８
【補正方法】変更
【補正の内容】
【００９８】
本発明に係る有機光電変換素子は、面内方向に二次元に配置させることで光エリアセンサの構成部材として用いることができる。光エリアセンサは、有機光電変換素子を複数有し、複数の有機光電変換素子が、行方向及び列方向にそれぞれ複数配置されている。尚、この光エリアセンサに含まれる有機光電変換素子を、上述した有機光電変換装置に換えてもよい。